(57)【要約】【課題】昇降および取り外しが可能なビデを提供する。【解決手段】本発明は、昇降部の昇降ボタンの操作でビデ本体を昇降させるので、便器とビデ本体との間の汚染物質を容易に掃除することにより清潔に使用することができ、分離部の分離ボタン操作でビデ本体を便器から容易に取り外し或いは取り付けることができるため、ビデ本体の設置位置に応じて便利に取り外すことができる、昇降および取り外しが可能なビデを提供する。【選択図】図２
2016533442.tif 000002
【特許請求の範囲】
【請求項１】
便器の上面にボルトとナットで固定される固定部と；
前記固定部およびビデ本体に結合され、昇降ボタンの操作で調節部材が固定部に対して離脱および固定されながら昇降部材をリンク式で回転させてビデ本体を昇降させる昇降部と；
前記昇降部の上部に固定されるビデ本体と；
前記ビデ本体の上部に結合され、分離ボタンの操作で分離部材が昇降部に対して離脱および固定されながらビデ本体を取り外す分離部と；
前記昇降部の昇降ボタンおよび分離部の分離ボタンの加圧状態を最初の状態に復元させる復元部と；
前記分離ボタンの加圧の際に昇降ボタンが同時に加圧されるようにする加圧部と；を含んでなることを特徴とする、昇降および取り外しが可能なビデ。
【請求項２】
前記固定部は、
前記便器の上面に安着固定され、両側に昇降部の昇降部材が結合されるように結合孔と結合長孔がそれぞれ形成される固定部材、および前記固定部材の上部に突設され、昇降部の昇降を制御する係止片を備えることを特徴とする、請求項１に記載の昇降および取り外しが可能なビデ。
【請求項３】
前記昇降部は、
前記ビデ本体の案内フックに結合され、両側には昇降部材の昇降を制御する制御片が形成され、下部には固定部に係止される係止フックが形成される調節部材と、
前記調節部材の一側を加圧してスライドさせる昇降ボタンと、
前記ビデ本体の下部にボルトで結合され、両側に昇降部材が結合されるように結合孔と結合長孔がそれぞれ形成され、前記分離部の移動を案内する案内片が突設され、前記分離部が昇降部から分離されないように固定させる固定リングが形成される支持部材と、
前記支持部材の結合孔および結合長孔と固定部の結合孔および結合長孔に結合部材を介してリンク式で結合される昇降部材とを含んでなることを特徴とする、請求項１に記載の昇降および取り外しが可能なビデ。
【請求項４】
前記昇降部材に結合部材を介して結合され、一側端部は支持部材の下端面に接触し、他側端部は昇降部材に接触することにより、昇降ボタンの加圧時にビデ本体の昇降を容易にするとともに、ビデ本体の下降時に急激に下降しないようにする昇降調節部材をさらに含んでなることを特徴とする、請求項３に記載の昇降および取り外しが可能なビデ。
【請求項５】
前記ビデ本体は、
前記昇降部と分離部を結合させてスライドを案内するように上・下部に突出する案内フックと、
前記調節部材および分離部材の移動を制御するように上・下部に突出する案内突起と、
前記昇降部の支持部材が結合されるように穿設される結合孔とを含んでなることを特徴とする、請求項１に記載の昇降および取り外しが可能なビデ。
【請求項６】
前記分離部は、
前記ビデ本体の案内フックに結合される分離部材と、
前記分離部材が昇降部の固定リングに固定されるようにする固定片と、
前記分離部材の一側を加圧して分離部材が昇降部から分離されるようにする分離ボタンとを含んでなることを特徴とする、請求項１に記載の昇降および取り外しが可能なビデ。
【請求項７】
前記ビデ本体に備えられた案内突起が結合され、調節部材と分離部材の移動を制御するように調節部材と分離部材にそれぞれ形成された案内長孔をさらに含んでなることを特徴とする、請求項３または６に記載の昇降および取り外しが可能なビデ。
【請求項８】
前記復元部は、
前記分離ボタンと昇降ボタンにそれぞれ設けられる結合棒と、
前記ビデ本体に突設される復元支持片と、
前記結合棒と前記復元支持片との間に結合される復元部材とを含んでなることを特徴とする、請求項１に記載の昇降および取り外しが可能なビデ。
【請求項９】
加圧部は、
前記昇降ボタンの一側に設けられる加圧案内突起と、
前記加圧案内突起に密着するように分離ボタンの一側に設けられる加圧突起とを含んでなることを特徴とする、請求項１に記載の昇降および取り外しが可能なビデ。
【発明の詳細な説明】
【技術分野】
【０００１】
本発明は、昇降および取り外しが可能なビデに係り、より詳しくは、昇降部の昇降ボタンの操作でビデ本体を昇降させるので、便器とビデ本体との間の汚染物質を容易に掃除することにより清潔に使用することができ、分離部の分離ボタンの操作でビデ本体を便器に対して容易に取り外し或いは取り付けることができ、ビデ本体の設置位置に応じて便利に取り外すことができる、昇降および取り外しが可能なビデに関する。
【背景技術】
【０００２】
一般に、ビデ（ｂｉｄｅｔ）は、衛生陶器の一種であって、用便後に生殖器および肛門の周りを洗浄するのに使われる装置である。
前記ビデは、便器の上面に一定間隔の貫通孔またはガイド部を形成してボルト／ナットで固定することにより設置される。
しかし、前記ビデは、便器の上面に固定するための構造であって、便器とビデとの間に発生する異物および細菌などの不衛生な汚染源に晒されるだけでなく、便器からビデを取り外し難いため、清掃などの管理が不便であって非効率的であるという問題点があった。
最近では、前述した問題点を解決するために、特許文献１で「ビデ着脱装置」の登録を受けたことがある。
【０００３】
この先登録新案は、便器の上面に案内部材を固定ボルト／ナットで固定し、ビデが前記案内部材を収容して便器に取り付けられ、着脱部の操作により、前記便器に取り付けられたビデを着脱させる構成であって、便器とビデとの間の不衛生な汚染物を掃除するために、着脱部を操作してビデを便器から便利に取り外すことができた。
【０００４】
ところが、先登録考案は、便器からビデを取り外す過程が非常に不便であるうえ、掃除を完了した後はビデを便器に組み立てて取り付ける過程が複雑であって非効率的であるという問題点があった。
【先行技術文献】
【特許文献】
【０００５】
【特許文献１】韓国登録実用新案第０３６６５０６号公報
【発明の概要】
【発明が解決しようとする課題】
【０００６】
そこで、本発明は、上述した従来の問題点に鑑みてなされたもので、その目的は、昇降部の昇降ボタンの操作でビデ本体を便器から離隔するように昇降させるので、便器とビデ本体との間の汚染物質を容易に清掃することにより清潔に使用することができる、昇降および取り外しが可能なビデを提供することにある。
【０００７】
また、本発明の他の目的は、分離部の分離ボタンの操作でビデ本体を便器から容易に取り外し或いは取り付けることができるため、ビデ本体の設置位置の移動の際に便利に分離することができる、昇降および取り外しが可能なビデを提供することにある。
【課題を解決するための手段】
【０００８】
上記目的を達成するために、本発明は、便器の上面にボルトとナットで固定される固定部と；
前記固定部およびビデ本体に結合され、昇降ボタンの操作で調節部材が固定部に対して離脱および固定されながら昇降部材をリンク式で回転させてビデ本体を昇降させる昇降部と；
前記昇降部の上部に固定されるビデ本体と；
前記ビデ本体の上部に結合され、分離ボタンの操作で分離部材が昇降部に対して離脱および固定されながらビデ本体を取り外す分離部と；
前記昇降部の昇降ボタンおよび分離部の分離ボタンの加圧状態を最初の状態に復元させる復元部と；
前記分離ボタンの加圧の際に昇降ボタンが同時に加圧されるようにする加圧部と；を含んでなることを特徴とする、昇降および取り外しが可能なビデを提供する。
【発明の効果】
【０００９】
本発明によれば、昇降部の昇降ボタンの操作でビデ本体を便器から離隔するように昇降させるので、便器とビデ本体との間の汚染物質を容易に掃除することにより、清潔に使用することができるという利点がある。
【００１０】
また、本発明によれば、分離部の分離ボタンの操作でビデ本体を便器から容易に取り外し或いは取り付けることができるため、ビデ本体の設置位置に応じて便利に取り外すことができるという利点がある。
【図面の簡単な説明】
【００１１】
【図１】本発明が適用されたビデの斜視図である。
【図２】本発明の分離斜視図である。
【図３】本発明の昇降部の昇降ボタンを加圧する状態を示す平面図である。
【図４】本発明のビデ本体が便器と結合された状態を示す側面構成図である。
【図５】本発明のビデ本体が便器と結合された状態を示す正面構成図である。
【図６】本発明のビデ本体が便器から昇降する状態を示す側面構成図である。
【図７】本発明のビデ本体が便器から昇降する状態を示す正面構成図である。
【図８】本発明の分離部の分離ボタンを加圧する状態を示す平面図である。
【図９】本発明の分離ボタン加圧時の昇降ボタンの作動状態を示す正面構成図である。
【図１０】本発明のビデ本体が便器から取り外される状態を示す側面構成図である。
【図１１】本発明の便器からの取り外しが完了した状態を示す側面構成図である。
【発明を実施するための形態】
【００１２】
以下、添付図面に基づいて本発明の一実施例を詳細に説明する。図１は本発明が適用されたビデの斜視図、図２は本発明の分離斜視図である。
【００１３】
本発明の昇降および取り外しが可能なビデ１００は、便器１０の上面にボルトとナットで固定される固定部１１０と、前記固定部１１０およびビデ本体１３０に結合され、昇降ボタン１２２の操作で調節部材１２１が固定部１１０に対して離脱および固定されながら、昇降部材１２４をリンク式で回転させてビデ本体１３０を昇降させる昇降部１２０と、前記昇降部１２０の上部に固定されるビデ本体１３０と、前記ビデ本体１３０の上部に結合され、分離ボタン１４３の操作で分離部材１４１が昇降部１２０に対して離脱および固定されながらビデ本体１３０を取り外す分離部１４０と、前記昇降部１２０の昇降ボタン１２２および分離部１４０の分離ボタン１４３の加圧状態を最初の状態に復元させる復元部１５０と、前記分離ボタン１４３の加圧の際に昇降ボタン１２２が同時に加圧できるようにする加圧部１６０とを含んでなることを特徴とする。次に、これをさらに具体的に説明する。
前記固定部１１０は、前記便器１０の上面に安着固定され、両側に昇降部１２０の昇降部材１２４が結合されるように結合孔１１１ａと結合長孔１１１ｂがそれぞれ形成される固定部材１１１、および前記固定部材１１１の上部に突設され、昇降部１２０の昇降を制御する係止片１１２を備える。
【００１４】
前記昇降部１２０は、前記ビデ本体１３０の案内フック１３１に結合され、両側には昇降部材１２４の昇降を制御する制御片１２１ａが形成され、下部には固定部１１０に係止される係止フック１２１ｂが形成される調節部材１２１と、前記調節部材１２１の一側を加圧してスライドさせる昇降ボタン１２２と、前記ビデ本体１３０の下部にボルトＢで結合され、両側に昇降部材１２４が結合されるように結合孔１２３ａと結合長孔１２３ｂがそれぞれ形成され、前記分離部１４０の移動を案内する案内片１２３ｃが突設され、前記分離部１４０が昇降部１２０から分離されないように固定させる固定リング１２３ｄが形成される支持部材１２３と、前記支持部材１２３の結合孔１２３ａおよび結合長孔１２３ｂと固定部１１０の結合孔１１１ａおよび結合長孔１１１ｂに結合部材１２５を介してリンク式で結合される昇降部材１２４とを含んでなる。
【００１５】
前記昇降部材１２４に結合部材１２５を介して結合され、一側端部は支持部材１２３の下端面に接触し、他側端部は昇降部材１２４に接触することにより、昇降ボタン１２２の加圧時にビデ本体１３０の昇降を容易にするとともに、ビデ本体１３０の下降時に急激に下降しないようにする昇降調節部材１２６をさらに含んでなる。
【００１６】
前記ビデ本体１３０は、前記昇降部１２０と分離部１４０を結合させてスライドを案内するように上・下部に突出する案内フック１３１と、前記調節部材１２１および分離部材１４１の移動を制御するように上・下部に突出する案内突起１３２と、前記昇降部１２０の支持部材１２３が結合されるように穿設される結合孔１３３とを含んでなる。
前記分離部１４０は、前記ビデ本体１３０の案内フック１３１に結合される分離部材１４１と、前記分離部材１４１が昇降部１２０の固定リング１２３ｄに固定されるようにする固定片１４２と、前記分離部材１４１の一側を加圧して分離部材１４１が昇降部１２０から分離されるようにする分離ボタン１４３とを含んでなる。
前記ビデ本体１３０に備えられた案内突起１３２が結合され、調節部材１２１と分離部材１４１の移動を制御するように、調節部材１２１と分離部材１４１にそれぞれ形成された案内長孔１２６、１４４をさらに含んでなる。
【００１７】
前記復元部１５０は、前記分離ボタン１４３と昇降ボタン１２２にそれぞれ形成される結合棒１５１と、前記ビデ本体１３０に突設される復元支持片１５２と、前記結合棒１５１と復元支持片１５２との間に結合される復元部材１５３とを含んでなる。
次に、前述のように構成された本発明の結合過程を詳細に説明する。
【００１８】
まず、便器１０の上部に固定部材１１１を安着させた後、固定部材１１１の上部から固定ボルトを結合した後、便器１０の下部から固定ナットを結合する通常の方法で固定する。
【００１９】
前記固定部材１１１の上部に昇降部１２０の支持部材１２３を位置させた後、昇降部材１２４を固定部材１１１と支持部材１２３に結合させるが、「Ｘ」字状に互いに交差するようにリンク型にされた昇降部材１２４のいずれか一つの上端部は支持部材１２３の結合孔１２３ａに結合部材１２５を介して結合され、昇降部材１２４の下端部は固定部材１１１の結合長孔１１１ｂに結合部材１２５を介して結合され、昇降部材１２４のもう一つの上端部は支持部材１２３の結合長孔１２３ｂに結合され、昇降部材１２４の下端部は固定部材１１１の結合孔１１１ａに結合される。
【００２０】
このとき、前記昇降部材１２４の上部内側に昇降調節部材１２６を位置させた後、結合部材１２５を介して結合させ、前記昇降調節部材１２６の一側端部は支持部材１２３の下端面に接触するようにし、前記昇降調節部材１２６の他側端部は昇降部材１２４に接触するように結合させる。
【００２１】
また、前記ビデ本体１３０の下部に昇降部１２０の調節部材１２１を結合させるが、調節部材１２１を、ビデ本体１３０の下部に突設された案内フック１３１に結合させた後、前記調節部材１２１の一側に折り曲げられてビデ本体１３０の上部に形成された折曲片１２１ｃに昇降ボタン１２２を固定させる。
【００２２】
前述のように昇降ボタン１２２を固定した後、前記昇降ボタン１２２に形成された結合棒１５１とビデ本体１３０の上部に形成された復元支持片１５２との間に復元部材１５３を結合する。
【００２３】
前記調節部材１２１が結合されたビデ本体１３０の下部に支持部材１２３を結合させるが、支持部材１２３の案内片１２３ａと固定リング１２３ｂがビデ本体１３０の結合孔１３３に結合されるよう位置させた後、支持部材１２３をビデ本体１３０の下部にボルトＢで締結して固定させる。
【００２４】
また、前記ビデ本体１３０の上部には分離部１４０の分離部材１４１を結合させるが、ビデ本体１３０の上部に突出した案内フック１３１に分離部材１４１を結合させ、分離部材１４１に形成された案内長孔１４４をビデ本体１３０の案内突起１３２に結合させた後、固定片１４２が支持部材１２３の固定リング１２３ｂに固定されるように位置させる。
【００２５】
前記分離部材１４１の一側に形成された折曲片１４１ａに分離ボタン１４３を固定した後、分離ボタン１４３に形成された結合棒１５１とビデ本体１３０の上部に突設された復元支持片１５２との間に復元部材１５３を結合すると、前記分離ボタン１４３の一側に突設された加圧突起１６２と昇降ボタン１２２の一側に形成された加圧案内突起１６１とが密着した状態を維持する。
次は、前述したように構成された本発明の作動状態を詳細に説明する。
まず、図３〜図７に示すように、便器１０とビデ本体１３０との間の汚染物質を掃除するためには、ビデ本体１３０の一側に結合されている昇降ボタン１２２を加圧する。
【００２６】
前記昇降ボタン１２２が加圧されると、昇降ボタン１２２の先端部に折曲片１２１ｃによって固定されていた調節部材１２１は、ビデ本体１３０の下部に形成された案内フック１３１によって案内されるとともに、案内突起１３２によって案内長孔１２６が案内されながら、調節部材１２１を加圧した分だけスライドされる。
【００２７】
このとき、昇降ボタン１２２の一側から分離ボタン１４３側へ突出した加圧案内突起１６１は、分離ボタン１４３に突設された加圧突起１６２と一定の距離離隔するとともに、前記昇降ボタン１２２に形成された結合棒１５１とビデ本体１３０に形成された復元支持片１５２との間に結合された復元部材１５３が圧縮された状態を維持する。
【００２８】
前記調節部材１２１がスライドされると、調節部材１２１の下端部に形成された係止フック１２１ｂは、固定部材１１１の係止片１１２から解除されるとともに、結合部材１２５の前方、すなわち、ビデのシートが位置する側に密着して結合部材１２５を拘束していた調節部材１２１の制御片１２１ａは、調節部材１２１のスライドされた距離だけ移動しながら結合部材１２５の拘束力を解除する。
【００２９】
このとき、昇降部材１２４と支持部材１２３との間に結合部材１２５によって結合されている昇降調節部材１２６が、自体弾性力によって支持部材１２３の下端面を上方に加圧してビデ本体１３０を一定の高さ持ち上げるので、使用者がより便利にビデ本体１３０を昇降させることができるようになる。
【００３０】
前述のようにビデ本体１３０が一定の高さ昇降した状態で、ビデ本体１３０の両側を把持して上方に持ち上げると、昇降部材１２４は固定部材１１１の結合孔１１１ａおよび支持部材１２３の結合孔１２３ａに結合された結合部材１２５を中心に回転するとともに、固定部材１１１の結合長孔１１１ｂおよび支持部材１２３の結合長孔１２３ｂに結合された結合部材１２５は前記結合長孔１１１ｂ、１２３ｂに沿って案内されることにより、ビデ本体１３０が上昇することができるようになる。
【００３１】
前述のようにビデ本体１３０を上昇させた後、加圧状態を維持していた昇降ボタン１２２の加圧を中止すると、昇降ボタン１２２に結合されていた復元部材１５３は昇降ボタン１２２を最初の状態に復元させるとともに、調節部材１２１の制御片１２１ａは結合部材１２５の後方に密着して昇降部材１２４の昇降状態を維持させることができる。
【００３２】
前記ビデ本体１３０が昇降した後、便器１０とビデ本体１３０との間の汚染物質を便利かつ清潔に清掃することができる。
【００３３】
前述のように掃除作業が完了すると、昇降ボタン１２２を加圧して調節部材１２１の制御片１２１ａを結合部材１２５と密着しないように離脱させた後、ビデ本体１３０を把持したままでゆっくりと下降させると、昇降部材１２４がリンク式で回転しながらビデ本体１３０が下降する。このとき、ビデ本体１３０は昇降調節部材１２６の弾力によって急激に下降せず、使用者がビデ本体１３０を下方に押して最初の状態に下降させた後、加圧されていた昇降ボタン１２２の加圧を解除すると、制御片１２１ａは結合部材１２５の前方に密着することにより、ビデ本体１３０が最初の状態で固定されるのである。
【００３４】
また、便器からビデ本体１３０を分離するためには、図８〜図１１に示すように、ビデ本体１３０の一側に結合された分離ボタン１４３を加圧する。
【００３５】
前記分離ボタン１４３が加圧されると、復元部１５０の復元部材１５３が圧縮されながら、分離ボタン１４３に固定された分離部材１４１は、ビデ本体１３０に形成された案内フック１３１に案内されるとともに、分離部材１４１に形成された固定片１４２が、昇降部１２０の支持部材１２３に形成された固定リング１２３ｄから離脱する。
【００３６】
ここで、前記分離ボタン１４３の加圧の際に、分離ボタン１４３の一側に形成された加圧部１６０の加圧突起１６２が、昇降ボタン１２２の一側に形成された加圧案内突起１６１を同時に加圧し、このように加圧された昇降ボタン１２２は、ビデ本体１３０の下部に形成された案内フック１３１に案内されて調節部材１２１をスライドさせるとともに、係止フック１２１ｂが係止片１１２から離脱する。
【００３７】
このとき、昇降部材１２４と支持部材１２３との間に結合部材１２５によって結合されている昇降調節部材１２６が、自体弾性力によって支持部材１２３の下端面を上方に加圧してビデ本体１３０を一定の高さ持ち上げる。
【００３８】
前述のようにビデ本体１３０が一定の高さ昇降した状態で、ビデ本体１３０の両側を把持して上方に昇降させると、ビデ本体１３０は便器１０から離脱して上方に取り外され、便器１０の上部には固定部材１１１が固定された状態となり、前記固定部材１１１には昇降部材１２４を介して支持部材１２３が結合されている。
【００３９】
前記便器１０と固定部材１１１を固定している固定ボルトと固定ナットを解体すると、すべての構成品が便器１０から取り外されるのである。
【００４０】
したがって、引っ越しのためビデ本体１３０を取り外す場合、またはビデ本体１３０の設置位置を移動させる場合、手軽にビデ本体１３０を取り外すことができる。
【００４１】
以上、本発明はたとえ限定された実施例と図面によって説明されたが、本明細書および請求の範囲で使用された用語や単語は、通常的かつ辞典的な意味に限定されて解釈されてはならず、本発明の技術的思想に合致する意味と概念で解釈されるべきである。
【００４２】
したがって、本明細書に記載された実施例と図面に示された構成は、本発明の一実施例に過ぎず、本発明の技術的思想をすべて代弁するものではないので、本発明の請求の範囲から逸脱しない範疇内において様々な均等物および変形例があり得ることを理解すべきである。
【符号の説明】
【００４３】
１００    ビデ
１１０    固定部
１１１    固定部材
１１２    係止片
１２０    昇降部
１２１    調節部材
１２２    昇降ボタン
１２３    支持部材
１２４    昇降部材
１２５    結合部材
１３０    ビデ本体
１３１    案内フック
１３２    案内突起
１３３    結合孔
１４０    分離部
１４１    分離部材
１４２    固定片
１４３    分離ボタン
１４４    案内長孔
１５０    復元部
１５１    結合棒
１５２    復元支持片
１５３    復元部材
１６０    加圧部
１６１    加圧案内突起
１６２    加圧突起
【図１】
2016533442.tif 000003
【図２】
2016533442.tif 000004
【図３】
2016533442.tif 000005
【図４】
2016533442.tif 000006
【図５】
2016533442.tif 000007
【図６】
2016533442.tif 000008
【図７】
2016533442.tif 000009
【図８】
2016533442.tif 000010
【図９】
2016533442.tif 000011
【図１０】
2016533442.tif 000012
【図１１】
2016533442.tif 000013
【国際調査報告】
2016533442.tif 000014
2016533442.tif 000015
2016533442.tif 000016
2016533442.tif 000017